(57)【要約】【課題】重りをゴルフクラブへ装着するときの装着性を向上する。【解決手段】ゴルフクラブの基端側へ開放された袋状に形成され、前記ゴルフクラブの先端部に装着されると共に、前記ゴルフクラブのシャフトの先端部を覆う筒状のシャフトカバー部と、前記ゴルフクラブのヘッドを覆うヘッドカバー部と、を含んで構成されたカバーと、前記シャフトカバー部の表面側または裏面側に設けられ、前記シャフトカバー部を前記シャフト側へ締付ける締付部材と、前記ヘッドカバー部の表面に設けられた収容部に収容された重りと、を備えている。【選択図】図２
2018166665.tif 000002
【特許請求の範囲】
【請求項１】
ゴルフクラブの基端側へ開放された袋状に形成され、前記ゴルフクラブの先端部に装着されると共に、前記ゴルフクラブのシャフトの先端部を覆う筒状のシャフトカバー部と、前記ゴルフクラブのヘッドを覆うヘッドカバー部と、を含んで構成されたカバーと、
前記シャフトカバー部の表面側に設けられ、前記シャフトカバー部を径方向内側へ締付ける締付部材と、
前記ヘッドカバー部の表面側または裏面側に設けられた収容部に収容された重りと、
を備えたゴルフクラブ用重り装着器具。
【請求項２】
前記カバーの裏面側には、弾性を有するインナ部材が設けられており、
前記インナ部材によって前記シャフトの先端部及び前記ヘッドを覆う請求項１に記載のゴルフクラブ用重り装着器具。
【請求項３】
前記インナ部材の裏面には、前記インナ部材よりも摩擦係数の高い高摩擦部材が設けられており、前記高摩擦部材が、前記締付部材によって前記シャフトの先端部に締付けられる請求項２に記載のゴルフクラブ用重り装着器具。
【請求項４】
前記締付部材は、前記シャフトカバー部の表面に設けられ且つ前記シャフトカバー部の周方向に延在された帯状のベルトを有しており、
前記ベルトによって前記シャフトカバー部を径方向内側へ締付ける請求項１〜請求項３の何れか１項に記載のゴルフクラブ用重り装着器具。
【請求項５】
前記シャフトカバー部の表面には、前記シャフトカバー部の軸方向に沿って延在され且つ前記シャフトカバー部の軸方向における前記締付部材の位置を決める位置決め部材が設けられており、
前記位置決め部材には、前記締付部材が嵌め込まれる複数の溝部が前記位置決め部材の長手方向に並んで形成されている請求項１〜請求項３の何れか１項に記載のゴルフクラブ用重り装着器具。
【請求項６】
前記締付部材は、長尺紐状を成す紐状部材で構成されており、
前記紐状部材が、前記溝部に嵌合されて、前記位置決め部材によって保持されている請求項５に記載のゴルフクラブ用重り装着器具。
【請求項７】
前記収容部が、前記カバーの裏面側に設けられており、
前記カバーには、前記重りを取外し可能に構成された開口部が形成され、
前記開口部には、当該開口部を開閉可能にする開閉部材が設けられている請求項２〜請求項６の何れか１項に記載のゴルフクラブ用重り装着器具。
【請求項８】
前記収容部が、前記カバーの表面側に設けられており、
前記収容部には、前記重りを取外し可能に構成された開口部が形成され、
前記開口部には、当該開口部を開閉可能にする開閉部材が設けられている請求項１〜請求項６の何れか１項に記載のゴルフクラブ用重り装着器具。
【発明の詳細な説明】
【技術分野】
【０００１】
本発明は、ゴルフクラブ用重り装着器具に関する。
【背景技術】
【０００２】
下記特許文献１には、ゴルフクラブの素振り（スウィング）練習時に用いられるゴルフクラブ取付け重り（以下、単に「重り」という）が記載されている。この重りは、略円筒状の取付け部を有しており、当該取付け部の内部にシャフトの先端部が挿入されて取付け部がシャフトに固定されている。これにより、ゴルフクラブの先端側に重りを固定した状態で、プレーヤが素振り（スウィング）を行うことで、ゴルフボールを打つ前の素振り（スウィング）練習や準備運動などを行うことができる。
【先行技術文献】
【特許文献】
【０００３】
【特許文献１】特開２０１２−５５２７号公報
【発明の概要】
【発明が解決しようとする課題】
【０００４】
ここで、上記特許文献１では、重りのシャフトへの固定方法については、特に記載されていないが、重りをシャフトに固定するためには、シャフトを、自身の基端側（グリップ側）から取付け部の内部に挿入して、取付け部をシャフトの先端部に固定すると考えられる。このため、重りをシャフトに装着するときの装着作業が煩雑となる。したがって、重りをゴルフクラブの先端部に取付ける場合には、重りを簡単にシャフトに取付けできる構成にすることが望ましい。
【０００５】
本発明は、上記事実を考慮して、重りをゴルフクラブへ装着するときの装着性を向上することができるゴルフクラブ用重り装着器具を提供することを目的とする。
【課題を解決するための手段】
【０００６】
本発明の１又はそれ以上の実施形態は、ゴルフクラブの基端側へ開放された袋状に形成され、前記ゴルフクラブの先端部に装着されると共に、前記ゴルフクラブのシャフトの先端部を覆う筒状のシャフトカバー部と、前記ゴルフクラブのヘッドを覆うヘッドカバー部と、を含んで構成されたカバーと、前記シャフトカバー部の表面側に設けられ、前記シャフトカバー部を径方向内側へ締付ける締付部材と、前記ヘッドカバー部の表面側または裏面側に設けられた収容部に収容された重りと、を備えたゴルフクラブ用重り装着器具である。
【０００７】
本発明の１又はそれ以上の実施形態は、前記カバーの裏面側には、弾性を有するインナ部材が設けられており、前記インナ部材によって前記シャフトの先端部及び前記ヘッドを覆うゴルフクラブ用重り装着器具である。
【０００８】
本発明の１又はそれ以上の実施形態は、前記インナ部材の裏面には、前記インナ部材よりも摩擦係数の高い高摩擦部材が設けられており、前記高摩擦部材が、前記締付部材によって前記シャフトの先端部に締付けられるゴルフクラブ用重り装着器具である。
【０００９】
本発明の１又はそれ以上の実施形態は、前記締付部材は、前記シャフトカバー部の表面に設けられ且つ前記シャフトカバー部の周方向に延在された帯状のベルトを有しており、前記ベルトによって前記シャフトカバー部を径方向内側へ締付けるゴルフクラブ用重り装着器具である。
【００１０】
本発明の１又はそれ以上の実施形態は、前記シャフトカバー部の表面には、前記シャフトカバー部の軸方向に沿って延在され且つ前記シャフトカバー部の軸方向における前記締付部材の位置を決める位置決め部材が設けられており、前記位置決め部材には、前記締付部材が嵌め込まれる複数の溝部が前記位置決め部材の長手方向に並んで形成されているゴルフクラブ用重り装着器具である。
【００１１】
本発明の１又はそれ以上の実施形態は、前記締付部材は、長尺紐状を成す紐状部材で構成されており、前記紐状部材が、前記溝部に嵌合されて、前記位置決め部材によって保持されているゴルフクラブ用重り装着器具である。
【００１２】
本発明の１又はそれ以上の実施形態は、前記収容部が、前記カバーの裏面側に設けられており、前記カバーには、前記重りを取外し可能に構成された開口部が形成され、前記開口部には、当該開口部を開閉可能にする開閉部材が設けられているゴルフクラブ用重り装着器具である。
【００１３】
本発明の１又はそれ以上の実施形態は、前記収容部が、前記カバーの表面側に設けられており、前記収容部には、前記重りを取外し可能に構成された開口部が形成され、前記開口部には、当該開口部を開閉可能にする開閉部材が設けられているゴルフクラブ用重り装着器具である。
【発明の効果】
【００１４】
上記構成のゴルフクラブ用重り装着器具によれば、重りをゴルフクラブへ装着するときの装着性を向上することができる。
【図面の簡単な説明】
【００１５】
【図１】図１は、第１の実施の形態に係るゴルフクラブ用重り装着器具の内部にゴルフクラブの先端部を挿入した状態を示す縦断面図である。
【図２】図２（Ａ）は、図１に示される状態から紐状部材によってカバーのシャフトカバー部を径方向内側へ締付けた状態を示す側面図であり、図２（Ｂ）は、図２（Ａ）に示される状態のゴルフクラブ用重り装着器具の内部を示す縦断面図である。
【図３】図３は、第２の実施の形態に係るゴルフクラブ用重り装着器具の内部にゴルフクラブの先端部を挿入した状態を示す縦断面図である。
【図４】図４（Ａ）は、第３の実施の形態に係るゴルフクラブ用重り装着器具の内部にゴルフクラブの先端部を挿入した状態を示す側面図であり、図４（Ｂ）は、図４（Ａ）に示される状態から紐状部材によってカバーのシャフトカバー部を径方向内側へ締付けた状態を示す側面図である。
【図５】図５（Ａ）は、第４の実施の形態に係るゴルフクラブ用重り装着器具の内部にゴルフクラブの先端部を挿入した状態を示す縦断面図であり、図５（Ｂ）は、図５（Ａ）に示される状態から紐状部材によってカバーのシャフトカバー部を径方向内側へ締付けた状態を示す縦断面図である。
【図６】図６は、第１の実施の形態〜第４の実施の形態に係るゴルフクラブ用重り装着器具の変形例を、紐状部材によってゴルフクラブの先端部に固定した状態で示す縦断面図である。
【発明を実施するための形態】
【００１６】
（第１の実施の形態）
以下、図１及び図２を用いて、第１の実施の形態に係るゴルフクラブ用重り装着器具１０（以下、単に「重り装着器具１０」という）について説明する。この重り装着器具１０は、ゴルフクラブに装着されて、ゴルフボールを打つ前のスウィング練習や準備運動等に用いられるようになっている。以下の説明では、一例として、重り装着器具１０を、ドライバとしてのゴルフクラブＧＣに装着する例として説明する。
【００１７】
始めに、重り装着器具１０の説明の前に、ゴルフクラブＧＣの構成について簡単に説明する。図１に示されるように、ゴルフクラブＧＣは、略長尺丸棒状のシャフトＳを有しており、シャフトＳの先端側（図１の矢印Ａ方向側）の端部には、ヘッドＨが一体に設けられている（図１では、シャフトＳの先端部のみが図示されている）。このヘッドＨは、略楕円球状に形成されて、シャフトＳの径方向外側へ膨出されている。すなわち、ゴルフクラブＧＣの外形が、側面視で略Ｐ字形状に形成されている。そして、重り装着器具１０が、シャフトＳの先端部及びヘッドＨを覆うように、ゴルフクラブＧＣの先端部に装着されるようになっている。
【００１８】
＜重り装着器具について＞
次に、重り装着器具１０の構成について説明する。なお、以下の重り装着器具１０の構成の説明では、重り装着器具１０の内部にゴルフクラブＧＣのヘッドＨを挿入した状態として説明する。
重り装着器具１０は、「インナ部材」としてのクッション１２と、クッション１２の表側を覆うカバー１４と、ヘッドＨに対してゴルフクラブＧＣの先端側に設けられた「重り」としてのウエイト１８と、ウエイト１８を収容するための収容部１６と、「締付部材」としての紐状部材２６と、を含んで構成されている。
【００１９】
クッション１２は、重り装着器具１０の体格を構成する主要部とされており、例えば、発泡ゴムや発泡ウレタン等によって構成された弾性を有する部材として構成されている。このクッション１２は、ゴルフクラブＧＣの基端側（図１の矢印Ｂ方向側）へ開口された略袋状に形成されて、ゴルフクラブＧＣの先端部（ヘッドＨ及びシャフトＳの先端部）を覆うようになっている。また、クッション１２は、所定の厚みを有すると共に、ゴルフクラブＧＣの先端部の形状に対応して、縦断面視で略Ｐ字形袋状に形成されている。具体的には、クッション１２は、略円筒状に形成された基端側クッション部１２Ａと、基端側クッション部１２Ａの先端部に接続された先端側クッション部１２Ｂと、を含んで構成されている。また、先端側クッション部１２ＢがヘッドＨの形状に対応して基端側クッション部１２Ａの径方向外側へ膨出されている。これにより、基端側クッション部１２Ａの断面積が、先端側クッション部１２Ｂの開口面積よりも小さく設定されている。そして、基端側クッション部１２ＡによってシャフトＳの先端部を覆い、先端側クッション部１２ＢによってゴルフクラブＧＣのヘッドＨを覆うようになっている。
【００２０】
カバー１４は、伸縮性を有する布等によって構成されて、クッション１２の表面（ゴルフクラブＧＣの先端部を覆う面とは反対側の面）を被覆するように、クッション１２の表面に貼着されている。すなわち、クッション１２がカバー１４の裏面側に設けられており、カバー１４も、ゴルフクラブＧＣの先端部の形状に対応して、縦断面視で略Ｐ字形状を成す袋状に形成されている。具体的には、カバー１４は、略円筒状に形成されて基端側クッション部１２Ａの表面を被覆するシャフトカバー部１４Ａと、シャフトカバー部１４Ａに接続されて先端側クッション部１２Ｂの表面を被覆する略袋状のヘッドカバー部１４Ｂと、を含んで構成されており、ヘッドカバー部１４ＢがヘッドＨの形状に対応してシャフトカバー部１４Ａの径方向外側へ膨出されている。また、シャフトカバー部１４Ａの開口端部は、シャフトカバー部１４Ａの径方向内側へ屈曲されて、基端側クッション部１２Ａの開口部における端面を被覆している。
【００２１】
収容部１６は、カバー１４（ヘッドカバー部１４Ｂ）の表面側に設けられると共に、ヘッドＨに対してゴルフクラブＧＣの先端側に配置されている。この収容部１６は、布や合成皮革等によって構成されて、ウエイト１８の形状に対応した略袋状に形成されている。具体的には、収容部１６は、ゴルフクラブＧＣの基端側へ開放された凹状に形成されており、収容部１６の開口縁部がヘッドカバー部１４Ｂに縫合されている。これにより、収容部１６がカバー１４に一体化されている。そして、収容部１６の内部に、略直方体ブロック状のウエイト１８が収容されており、ウエイト１８の重さは、プレーヤの好みに応じた所定の重さに設定されている。
【００２２】
この収容部１６の底壁部には、略中央部において、収容部１６の内部と外部とを連通する開口部１６Ａが形成されており、開口部１６Ａを介して、ウエイト１８を収容部１６の内部に挿入し、又は、収容部１６の内部に収容されたウエイト１８を取外す（取出す）ように構成されている。すなわち、重り装着器具１０では、収容部１６内に収容するウエイト１８を交換可能に構成されている。また、開口部１６Ａには、開口部１６Ａを開閉可能にする「開閉部材」としてのファスナー２０が設けられている。これにより、ウエイト１８を収容部１６の内部に収容した状態で、ファスナー２０によって開口部１６Ａを閉塞することで、ウエイト１８の収容部１６への収容状態が維持される構成になっている。
【００２３】
また、カバー１４におけるシャフトカバー部１４Ａの表面には、後述する紐状部材２６を保持するための保持カバー部２２が設けられている。この保持カバー部２２は、カバー１４と同様に伸縮性を有する布等によって構成されると共に、シャフトカバー部１４Ａの周方向に沿って延在された略矩形シート状に形成されている。また、保持カバー部２２の長手方向の長さは、シャフトカバー部１４Ａの周方向における全長と比べて短く設定されている。そして、保持カバー部２２の幅方向中間部が、シャフトカバー部１４Ａの径方向外側へ凸に湾曲されるように、保持カバー部２２の幅方向両端部がシャフトカバー部１４Ａに縫合されている。また、保持カバー部２２がシャフトカバー部１４Ａに縫合された状態では、保持カバー部２２の長手方向両端部が開口されている。これにより、保持カバー部２２とシャフトカバー部１４Ａとの間には、シャフトカバー部１４Ａの周方向に沿って延在されたトンネル部２４が形成されている。
【００２４】
紐状部材２６は、長尺紐状の部材として構成されており、紐状部材２６の長手方向の長さが、シャフトカバー部１４Ａの周方向における全長よりも長く設定されている。そして、紐状部材２６が、トンネル部２４の内部に挿入されて、保持カバー部２２によってカバー１４（シャフトカバー部１４Ａ）に保持されている。また、紐状部材２６がカバー１４に保持された状態では、紐状部材２６の長手方向両側部分が、トンネル部２４の開口部からトンネル部２４の外部へそれぞれ延出されている。そして、紐状部材２６の長手方向両側部分を互いに結ぶことで、シャフトカバー部１４Ａ及び基端側クッション部１２Ａが紐状部材２６によって径方向内側（シャフトＳ側）へ締付けられて、基端側クッション部１２Ａが、弾性変形（圧縮変形）した状態で、シャフトＳの先端部に密着するように構成されている。
【００２５】
＜作用及び効果＞
次に、重り装着器具１０をゴルフクラブＧＣの先端部に装着する手順を説明しつつ、第１の実施の形態の作用及び効果について説明する。
【００２６】
重り装着器具１０をゴルフクラブＧＣの先端部に装着する場合には、まず、ゴルフクラブＧＣのヘッドＨを、重り装着器具１０（クッション１２）の開口部から重り装着器具１０の内部に挿入して、ゴルフクラブＧＣの先端部を装着器具１０の内部に配置する。このとき、クッション１２の基端側クッション部１２Ａの開口面積は、クッション１２の先端側クッション部１２Ｂの断面積よりも小さく設定されているため、基端側クッション部１２Ａの開口部を広げるように、基端側クッション部１２Ａを弾性変形させつつ、重り装着器具１０の内部にゴルフクラブＧＣの先端部を挿入する。これにより、図１に示されるように、クッション１２の基端側クッション部１２Ａの内部にゴルフクラブＧＣのシャフトＳの先端部が配置されると共に、クッション１２の先端側クッション部１２Ｂの内部にゴルフクラブＧＣのヘッドＨが配置される。
【００２７】
この状態で、プレーヤが、紐状部材２６の長手方向両側部分を把持して、紐状部材２６によってカバー１４のシャフトカバー部１４Ａを径方向内側（シャフトＳ側）へ締付ける。これにより、クッション１２の基端側クッション部１２Ａが径方向内側（シャフトＳ側）へ変位して、基端側クッション部１２ＡがシャフトＳの外周部に当接される。また、このときには、クッション１２の先端側クッション部１２Ｂが、重り装着器具１０の開口側へ引き寄せられて（引っ張られて）、先端側クッション部１２ＢがヘッドＨに密着するようにヘッドＨを覆う。
【００２８】
そして、図２（Ａ）及び（Ｂ）に示されるように、プレーヤが、紐状部材２６の長手方向両側部分同士を結びながら、シャフトカバー部１４Ａを径方向内側（シャフトＳ側）へさらに締付ける。これにより、クッション１２の基端側クッション部１２Ａには、紐状部材２６から径方向内側への締付力が作用して、当該締付力によって基端側クッション部１２Ａが、加圧されて弾性変形（圧縮変形）すると共に、シャフトＳの先端部に密着する。これにより、紐状部材２６の締付力によって基端側クッション部１２ＡがシャフトＳの先端部の全周を径方向外側から挟持した状態で、重り装着器具１０がゴルフクラブＧＣの先端部に固定（装着）される。なお、図２では、便宜上、クッション１２とヘッドＨとの間には、所定の隙間を空けて図示している。
【００２９】
ここで、重り装着器具１０の収容部１６には、ウエイト１８が収容されているため、ウエイト１８がゴルフクラブＧＣの先端部に一体化された状態で装着される。したがって、ゴルフクラブＧＣの先端側の重さが重り装着器具１０によって重くなった状態で、プレーヤが、ゴルフボールを打つ前のスウィング練習や準備運動などを行うことができる。
【００３０】
このように、第１の実施の形態の重り装着器具１０は、ゴルフクラブＧＣの先端部を覆う袋状のカバー１４を有しており、カバー１４におけるシャフトカバー部１４Ａの表面側に、紐状部材２６が設けられている。また、カバー１４におけるヘッドカバー部１４Ｂの表面側には、収容部１６が設けられており、当該収容部１６内にウエイト１８が収容されている。そして、上述のように、重り装着器具１０をゴルフクラブＧＣに装着するときには、ゴルフクラブＧＣのヘッドＨを重り装着器具１０の開口部から重り装着器具１０の内部に挿入して、紐状部材２６によって、シャフトカバー部１４ＡをゴルフクラブＧＣのシャフトＳ側へ締付けることで、重り装着器具１０をゴルフクラブＧＣの先端部に固定し装着することができる。これにより、例えば、シャフトをウエイト内にシャフトの基端側から挿入して、当該ウエイトをシャフトの先端部に固定する構成と比べて、ウエイト１８を有する重り装着器具１０を簡単にゴルフクラブＧＣに装着することができる。したがって、ウエイト１８をゴルフクラブＧＣへ装着するときの装着性を向上することができる。
【００３１】
また、重り装着器具１０では、紐状部材２６によって重り装着器具１０のシャフトカバー部１４Ａを径方向内側（シャフトＳ側）へ締付けて、重り装着器具１０をゴルフクラブＧＣの先端部に装着（固定）するように構成されている。このため、重り装着器具１０を固定するための固定構造をゴルフクラブＧＣに設けることなく、重り装着器具１０をゴルフクラブＧＣに装着し固定することができる。これにより、既存のゴルフクラブＧＣを変更することなく（既存のゴルフクラブＧＣに重り装着器具１０を固定するための加工を施すことなく）、ゴルフクラブＧＣに重り装着器具１０を装着して、ゴルフボールを打つ前のスウィング練習や準備運動を行うことができる。
【００３２】
また、重り装着器具１０では、カバー１４の裏面側に、クッション１２が設けられている。そして、重り装着器具１０のゴルフクラブＧＣへの装着状態では、クッション１２における先端側クッション部１２ＢによってゴルフクラブＧＣのヘッドＨが覆われる。これにより、クッション１２が、ヘッドＨとカバー１４（ウエイト１８）との間の隙間を詰める部材として機能する。このため、重り装着器具１０のゴルフクラブＧＣへの装着状態において、ヘッドＨとウエイト１８とを良好に一体化させることができる。その結果、スウィング練習時における、ヘッドＨとウエイト１８との相対移動を抑制することができる。したがって、プレーヤがスウィング練習を良好に行うことができる。
【００３３】
また、クッション１２は、弾性を有する部材で構成されている。このため、重り装着器具１０のゴルフクラブＧＣへの装着状態では、クッション１２が緩衝部材として機能する。これにより、例えば、プレーヤのスウィング練習中に、仮に、ヘッドＨがプレーヤの周囲のものに当った場合でも、ヘッドＨをクッション１２によって保護することができる。したがって、ヘッドＨに対する保護性能を向上することができる。
【００３４】
また、例えば、ゴルフクラブＧＣの不使用時に、重り装着器具１０をゴルフクラブＧＣに装着させておくことで、重り装着器具１０を、ヘッドＨを保護するヘッドカバーとしても活用することができる。これにより、プレーヤに対する利便性を一層向上することができると共に、ヘッドＨに対する傷付き防止に寄与することができる。すなわち、重り装着器具１０をヘッドカバーとして活用する場合には、重り装着器具１０を装着したゴルフクラブＧＣをゴルフバック内に収容する。このため、ゴルフクラブＧＣの使用時にゴルフクラブＧＣをゴルフバックから取出したときには、重り装着器具１０がゴルフクラブＧＣに既に装着されている。これにより、即座にゴルフクラブＧＣをスウィング練習用のクラブとして用いることができる。したがって、プレーヤに対する利便性を一層向上することができる。また、重り装着器具１０を、ヘッドカバーとして活用することで、ゴルフクラブＧＣの不使用時におけるヘッドＨの傷付き防止に寄与することができる。
【００３５】
さらに、重り装着器具１０の収容部１６には、開口部１６Ａが形成されている。この開口部１６Ａには、ファスナー２０が設けられており、ファスナー２０によって収容部１６の開口部１６Ａが開閉可能に構成されている。これにより、ファスナー２０によって開口部１６Ａを開くことで、収容部１６に収容されたウエイト１８を開口部１６Ａから取出すことができる。その結果、収容部１６に収容されるウエイト１８を、重さの異なるウエイト１８に交換することができる。したがって、プレーヤの好みに応じた重さのウエイト１８をゴルフクラブＧＣに装着して、スウィング練習を行うことができる。
【００３６】
また、重り装着器具１０をヘッドカバーとして活用する場合には、ファスナー２０によって収容部１６の開口部１６Ａを開閉することで、ウエイト１８を収容部１６（重り装着器具１０）から取外した状態にすることができる。これにより、収容部１６を潰した状態で、ゴルフクラブＧＣをゴルフバックに収容することができる。したがって、ゴルフクラブＧＣのゴルフバックへの収容性を向上することができる。
【００３７】
（第２の実施の形態）
以下、図３を用いて、第２の実施の形態に係るゴルフクラブ用重り装着器具３０（以下、単に「重り装着器具３０」という）について説明する。第２の実施の形態の重り装着器具３０では、以下に示す点を除いて、第１の実施の形態の重り装着器具１０と同様に構成されている。なお、図３では、重り装着器具１０と同様に構成されている部材に、同一の符号を付している。
【００３８】
すなわち、第２の実施の形態の重り装着器具３０では、クッション１２における基端側クッション部１２Ａの裏面に、略矩形シート状の高摩擦部材３２が貼着されており、高摩擦部材３２は、基端側クッション部１２Ａの周方向全周に亘って延在されている。この高摩擦部材３２は、伸縮性を有する部材で構成されており、高摩擦部材３２の摩擦係数が、クッション１２の摩擦係数に比べて高く設定されている。
【００３９】
そして、図示は省略するが、重り装着器具３０をゴルフクラブＧＣの先端部に装着するときには、第１の実施の形態と同様に、紐状部材２６の締付力によってカバー１４のシャフトカバー部１４Ａが径方向内側に締付けられて、クッション１２の基端側クッション部１２Ａが弾性変形（圧縮変形）する。また、このときには、基端側クッション部１２Ａの裏面に設けられた高摩擦部材３２が、紐状部材２６の締付力によってシャフトＳの外周面に密着する。これにより、重り装着器具３０がゴルフクラブＧＣの先端部に固定される。したがって、第２の実施の形態においても第１の実施の形態と同様の作用及び効果を奏することができる。
【００４０】
また、第２の実施の形態では、上述のように、紐状部材２６によってカバー１４のシャフトカバー部１４Ａを径方向内側に締付けたときには、紐状部材２６の締付力によって高摩擦部材３２がシャフトＳの外周面に密着する。そして、高摩擦部材３２の摩擦係数が、クッション１２の摩擦係数に比べて高く設定されている。このため、高摩擦部材３２が滑り止め部材として機能する。これにより、重り装着器具３０をゴルフクラブＧＣの先端部に良好に固定することができる。
【００４１】
なお、第２の実施の形態では、クッション１２の基端側クッション部１２Ａの裏面に高摩擦部材３２が設けられているが、高摩擦部材３２を、クッション１２の先端側クッション部１２Ｂの裏面にも設けてもよい。これにより、重り装着器具３０のゴルフクラブＧＣへの装着状態では、高摩擦部材３２がゴルフクラブＧＣのヘッドＨに密着される。このため、重り装着器具３０のゴルフクラブＧＣへの装着状態を良好に維持することができる。
【００４２】
（第３の実施の形態）
以下、図４を用いて、第３の実施の形態に係るゴルフクラブ用重り装着器具４０（以下、単に「重り装着器具４０」という）について説明する。第３の実施の形態の重り装着器具４０では、以下に示す点を除いて、第１の実施の形態の重り装着器具１０と同様に構成されている。なお、図４では、重り装着器具１０と同様に構成されている部材に、同一の符号を付している。
【００４３】
すなわち、第３の実施の形態の重り装着器具４０では、クッション１２において、基端側クッション部１２Ａが、第１の実施の形態と比べて先端側へ延びており、先端側クッション部１２Ｂにおける高さ寸法（図４における矢印Ａ方向及び矢印Ｂ方向の寸法）が、第１の実施の形態に比べて低く設定されている。また、これに伴い、カバー１４において、シャフトカバー部１４Ａが、第１の実施の形態と比べて先端側へ延びており、ヘッドカバー部１４Ｂにおける高さ寸法が、第１の実施の形態に比べて低く設定されている。
【００４４】
また、重り装着器具４０では、カバー１４において保持カバー部２２が省略されると共に、紐状部材２６の代わりに、「締付部材」としての締付ユニット４２がカバー１４に設けられている。この締付ユニット４２は、「ベルト」としての固定ベルト４４と、一対の紐状部材４６と、を含んで構成されている。
【００４５】
固定ベルト４４は、カバー１４におけるシャフトカバー部１４Ａの表面に設けられている。具体的には、固定ベルト４４は、シャフトカバー部１４Ａの軸方向を幅方向として、シャフトカバー部１４Ａの周方向に沿って延在された略長尺帯状に形成されている。この固定ベルト４４の長手方向の長さは、シャフトカバー部１４Ａの周方向における全長よりも短く設定されている。そして、固定ベルト４４が、固定ベルト４４の長手方向両端部を除いて、シャフトカバー部１４Ａに縫合されている。これにより、固定ベルト４４がカバー１４に一体化されている。
【００４６】
また、固定ベルト４４は、シャフトカバー部１４Ａにおけるヘッドカバー部１４Ｂ側の部位に配置されている。具体的には、固定ベルト４４の幅方向一端部（図４の矢印Ａ方向側の端部）が、シャフトカバー部１４Ａにおける先端部（ヘッドカバー部１４Ｂと接続される部分）に配置されており、固定ベルト４４の幅方向他端部は、シャフトカバー部１４Ａにおける軸方向中間部に配置されている。
【００４７】
さらに、固定ベルト４４の長手方向両端部の各々には、紐状部材４６に対応して、２箇所の孔部４４Ａ１，４４Ａ２が貫通形成されており、２箇所の孔部４４Ａ１，４４Ａ２は、固定ベルト４４の幅方向に所定の間隔を空けて配置されている。そして、固定ベルト４４の幅方向一方側の部分に形成された孔部４４Ａ１同士が対を成しており、固定ベルト４４の幅方向他方側の部分に形成された孔部４４Ａ２同士が対を成している。
【００４８】
一対の紐状部材４６は、第１の実施の形態と同様に、略長尺紐状の部材として構成されている。そして、一方の紐状部材４６が、固定ベルト４４における対を成す孔部４４Ａ１内に挿通されており、他方の紐状部材４６が、固定ベルト４４における対を成す孔部４４Ａ２内に挿通されている。
【００４９】
そして、重り装着器具４０をゴルフクラブＧＣの先端部に装着するときには、第１の実施の形態と同様に、重り装着器具４０の開口部からゴルフクラブＧＣのヘッドＨを挿入して、重り装着器具４０の内部にゴルフクラブＧＣの先端部を配置する。
【００５０】
この状態で、紐状部材４６によって固定ベルト４４を縮径させるように締付ける。これにより、シャフトカバー部１４Ａが固定ベルト４４によって径方向内側へ締付けられる。そして、紐状部材４６によって固定ベルト４４をさらに縮径させるように締付けながら、紐状部材４６の長手方向両側部分同士を結ぶ。これにより、基端側クッション部１２Ａが、固定ベルト４４の締付力によって弾性変形（圧縮変形）した状態で、シャフトＳの外周部に密着する。その結果、重り装着器具４０がゴルフクラブＧＣの先端部に固定される。したがって、第３の実施の形態においても、第１の実施の形態と同様の作用及び効果を奏することができる。
【００５１】
また、第３の実施の形態では、カバー１４のシャフトカバー部１４Ａに帯状の固定ベルト４４が設けられており、固定ベルト４４によって基端側クッション部１２ＡをシャフトＳ側へ締付ける構成になっている。このため、基端側クッション部１２ＡにおけるシャフトＳに密着する面積を、第１の実施の形態と比べて広くすることができる。したがって、重り装着器具４０のゴルフクラブＧＣへ一層良好に固定することができる。
【００５２】
しかも、固定ベルト４４では、幅方向一端部が、シャフトカバー部１４Ａの先端部（ヘッドカバー部１４Ｂとの接続部分）に配置されている。このため、紐状部材４６によって固定ベルト４４を径方向内側へ締付けたときに、クッション１２における基端側クッション部１２Ａを、シャフトＳにおけるヘッドＨとの付け根部分に密着させることができる。すなわち、重り装着器具４０のゴルフクラブＧＣへの装着状態では、シャフトＳにおけるヘッドＨとの付け根部分が、基端側クッション部１２Ａによって締付けられる。これにより、重り装着器具４０におけるゴルフクラブＧＣの先端側への移動を、効果的に拘束することができる。その結果、重り装着器具４０をゴルフクラブＧＣの先端部に装着した状態で当該ゴルフクラブＧＣをスウィングしたときの、重り装着器具４０とゴルフクラブＧＣとの相対移動を効果的に抑制することができる。したがって、重り装着器具４０のゴルフクラブＧＣへの固定状態を一層良好に維持することができる。
【００５３】
なお、第３の実施の形態では、固定ベルト４４がカバー１４のシャフトカバー部１４Ａの表面上に配置されているが、固定ベルト４４をカバー１４のヘッドカバー部１４Ｂとシャフトカバー部１４Ａとの境界部分を跨ぐように配置してもよい。すなわち、固定ベルト４４の幅方向一端部をヘッドカバー部１４Ｂ上に配置して、固定ベルト４４の幅方向他端部をシャフトカバー部１４Ａ上に配置するように、固定ベルト４４の幅寸法を適宜変更してもよい。この場合には、カバー１４のヘッドカバー部１４Ｂとシャフトカバー部１４Ａとの境界部分を跨ぐように固定ベルト４４が配置されているため、固定ベルト４４によって基端側クッション部１２Ａを、シャフトＳにおけるヘッドＨとの付け根部分に確実に締付けて、重り装着器具４０におけるゴルフクラブＧＣの先端側への移動を、効果的に拘束することができる。
【００５４】
また、第３の実施の形態では、締付ユニット４２が一対の紐状部材４６を含んで構成されているが、締付ユニット４２の紐状部材４６の本数はこれに限らない。例えば、締付ユニット４２における紐状部材４６の本数を、１本にしてもよいし、３本以上にしてもよい。この場合には、紐状部材４６の本数に対応して、紐状部材４６が挿通される、固定ベルト４４の孔部の個数が設定される。
【００５５】
また、第３の実施の形態では、締付ユニット４２が、固定ベルト４４と、一対の紐状部材４６と、を含んで構成されているが、締付ユニット４２の構成は、これに限らない。例えば、締付ユニット４２を、固定ベルト４４と、固定ベルト４４の締付状態を維持する金具やバックルと、によって構成してもよい。この場合は、金具やバックルが、固定ベルト４４の長手方向両端部に設けられる。
【００５６】
また、第３の実施の形態においても、第２の実施の形態と同様に、クッション１２の裏面に高摩擦部材３２を設けてもよい。これにより、重り装着器具４０のゴルフクラブＧＣへの装着状態を良好に維持することができる。
【００５７】
（第４の実施の形態）
以下、図５を用いて、第４の実施の形態に係るゴルフクラブ用重り装着器具５０（以下、単に「重り装着器具５０」という）について説明する。第４の実施の形態の重り装着器具５０では、以下に示す点を除いて、第１の実施の形態の重り装着器具１０と同様に構成されている。なお、図５では、重り装着器具１０と同様に構成されている部材に、同一の符号を付している。
【００５８】
すなわち、第４の実施の形態の重り装着器具５０では、カバー１４におけるシャフトカバー部１４Ａの表面に、位置決め部材５２が設けられており、シャフトカバー部１４Ａの軸方向における紐状部材２６の位置を位置決め部材５２によって決めるように構成されている。この位置決め部材５２は、シャフトカバー部１４Ａの径方向を厚み方向とした、シャフトカバー部１４Ａの軸方向に沿って延在された略長尺ブロック状に形成されて、シャフトカバー部１４Ａの表面に貼着されている。具体的には、位置決め部材５２は、シャフトカバー部１４Ａの軸方向全長に亘って延在されると共に、位置決め部材５２の長手方向一端部（図５の矢印Ａ方向側の端部）がヘッドカバー部１４Ｂにおける基端側の部分に配置されている。すなわち、位置決め部材５２は、シャフトカバー部１４Ａとヘッドカバー部１４Ｂとの境界部分を跨ぐように配置されている。
【００５９】
また、位置決め部材５２の外側部には、シャフトカバー部１４Ａの径方向外側へ開放された複数の溝部５２Ａが形成されており、複数の溝部５２Ａは、位置決め部材５２の長手方向（シャフトカバー部１４Ａの軸方向）に並んで配置されている。この溝部５２Ａの溝幅は、紐状部材２６の径寸法に対応して設定されており、紐状部材２６の一部が溝部５２Ａの内部に嵌め込み可能に構成されている。さらに、位置決め部材５２は、可撓性を有しており、自身の厚み方向に撓み変形可能に構成されている。
【００６０】
また、第４の実施の形態では、カバー１４に設けられた保持カバー部２２の長手方向の長さが、第１の実施の形態と比べて短く設定されており、保持カバー部２２の幅方向の長さが位置決め部材５２の長手方向の長さよりも長く設定されている。そして、保持カバー部２２は、位置決め部材５２に対して、シャフトカバー部１４Ａの径方向外側へ配置されており、保持カバー部２２の幅方向両端部が、カバー１４に縫合されている。これにより、保持カバー部２２と位置決め部材５２との間にトンネル部２４が形成されており、トンネル部２４の内部に紐状部材２６が挿通されている。
【００６１】
そして、重り装着器具５０をゴルフクラブＧＣの先端部に装着するときには、第１の実施の形態と同様に、重り装着器具５０の開口部からゴルフクラブＧＣのヘッドＨを挿入して、重り装着器具５０の内部にゴルフクラブＧＣの先端部を配置する。
【００６２】
次いで、位置決め部材５２における何れかの溝部５２Ａ内に紐状部材４６を嵌め込んだ状態で、紐状部材４６によってカバー１４のシャフトカバー部１４Ａを径方向内側へ締付ける。さらに、紐状部材２６の長手方向両側部分同士を結びながら、シャフトカバー部１４Ａを径方向内側（シャフトＳ側）へさらに締付ける。これにより、位置決め部材５２がシャフトカバー部１４Ａの径方向内側へ撓み変形すると共に、クッション１２の基端側クッション部１２Ａに径方向内側への締付力が作用する。このため、当該締付力によって基端側クッション部１２Ａが加圧されて弾性変形（圧縮変形）する。その結果、基端側クッション部１２ＡがシャフトＳの先端部に密着した状態で、重り装着器具１０がゴルフクラブＧＣの先端部に固定（装着）される。したがって、第４の実施の形態においても、第１の実施の形態と同様の作用及び効果を奏することができる。
【００６３】
また、第４の実施の形態では、シャフトカバー部１４Ａの表面に位置決め部材５２が設けられており、位置決め部材５２は、シャフトカバー部１４Ａの軸方向に延在されている。さらに、位置決め部材５２には、紐状部材２６が嵌め込まれる複数の溝部５２Ａが形成されており、複数の溝部５２Ａが位置決め部材５２の長手方向に並んで配置されている。これにより、何れかの溝部５２Ａ内に紐状部材２６を嵌め込むことで、シャフトカバー部１４Ａの軸方向における紐状部材２６の位置を決めながら、紐状部材２６によってシャフトカバー部１４Ａを径方向内側へ締付けることができる。したがって、各種ゴルフクラブＧＣのヘッドＨの大きさに適した位置の溝部５２Ａ内に紐状部材２６を嵌め込むことで、各種ゴルフクラブＧＣのヘッドＨの大きさに対応して、重り装着器具５０をゴルフクラブＧＣの先端部に良好に装着することができる。
【００６４】
さらに、位置決め部材５２は、シャフトカバー部１４Ａとヘッドカバー部１４Ｂとの境界部分を跨ぐように配置されている。このため、ゴルフクラブＧＣにおけるシャフトＳのヘッドＨとの付け根部分の径方向外側に、位置決め部材５２（の溝部５２Ａ）を配置することができる。これにより、当該溝部５２Ａ内に紐状部材２６を嵌め込むことで、図５（Ｂ）に示されるように、基端側クッション部１２Ａを当該シャフトＳの付け根部分に密着させた状態で、重り装着器具５０をゴルフクラブＧＣに固定することができる。したがって、第４の実施の形態においても、重り装着器具５０におけるゴルフクラブＧＣの先端側への移動を、効果的に拘束することができる。その結果、重り装着器具５０をゴルフクラブＧＣの先端部に装着した状態で当該ゴルフクラブＧＣをスウィングしたときの、重り装着器具５０とゴルフクラブＧＣとの相対移動を効果的に抑制することができる。
【００６５】
なお、第４の実施の形態においても、第２の実施の形態と同様に、クッション１２の裏面に高摩擦部材３２を設けてもよい。これにより、重り装着器具４０のゴルフクラブＧＣへの装着状態を良好に維持することができる。
【００６６】
（変形例）
以下、第１〜第４の実施の形態における重り装着器具１０，３０，４０，５０の変形例について、第１の実施の形態の重り装着器具１０を用いて説明する。図６に示されるように、この変形例では、以下に示す点を除いて、第１の実施の形態の重り装着器具１０と同様に構成されている。なお、図６では、重り装着器具１０と同様に構成されている部材に、同一の符号を付している。
【００６７】
すなわち、変形例では、ウエイト１８が重り装着器具１０に内蔵された構成になっている。具体的には、先端側クッション部１２Ｂにおいて、ゴルフクラブＧＣのヘッドＨに対して先端側の部分の厚みが、第１の実施の形態と比べて、厚く設定されている。また、先端側クッション部１２Ｂには、ゴルフクラブＧＣの先端側へ開放された収容凹部１２Ｃが形成されており、収容凹部１２Ｃは、収容部１６の形状に対応して形成されている。
【００６８】
また、収容部１６は、第１の実施の形態と比べて、ゴルフクラブＧＣの長手方向に反転した状態で配置されて、先端側クッション部１２Ｂの収容凹部１２Ｃ内に配置されている。すなわち、収容部１６は、カバー１４（ヘッドカバー部１４Ｂ）の裏面側に配置されて、ゴルフクラブＧＣの先端側へ開放された凹状を成している。そして、収容部１６の開口縁部が、カバー１４（ヘッドカバー部１４Ｂ）に縫合されている。また、収容部１６では、開口部１６Ａ（すなわち、ファスナー２０）が省略されており、収容部１６内にウエイト１８が収容されている。これにより、ウエイト１８が、カバー１４の裏面側に配置されて、重り装着器具１０に内蔵されている。
【００６９】
さらに、カバー１４（ヘッドカバー部１４Ｂ）には、収容部１６に対応する位置において、収容部１６の内部と外部とを連通する開口部１４Ｃが形成されており、当該開口部１４Ｃにファスナー２０が設けられている。これにより、変形例においても、ファスナー２０によって開口部１４Ｃを開閉することで、第１の実施の形態と同様に、重り装着器具１０に内蔵するウエイト１８を交換することができるようになっている。
【００７０】
以上説明したように、変形例１では、収容部１６がカバー１４（ヘッドカバー部１４Ｂ）の裏面側に設けられており、ウエイト１８が重り装着器具１０に内蔵されている。このため、収容部１６（ウエイト１８）がヘッドカバー部１４Ｂの表面に対して突出されることを抑制できる。これにより、重り装着器具１０の意匠性を向上しつつ、重り装着器具１０をゴルフクラブＧＣの先端部に装着することができる。
【００７１】
また、変形例においても、第１の実施の形態と同様に、ゴルフクラブＧＣの不使用時に、重り装着器具１０をゴルフクラブＧＣに装着させておくことで、重り装着器具１０を、ヘッドＨを保護するヘッドカバーとしても活用することができる。この場合には、収容部１６（ウエイト１８）がヘッドカバー部１４Ｂの表面に対して突出されていないため、ゴルフクラブＧＣのゴルフバックへの収容性を一層向上することができる。また、重り装着器具１０をヘッドカバーとして活用する場合には、前述と同様に、ウエイト１８を収容部１６から取外した状態で、ゴルフクラブＧＣをゴルフバックに収容してもよい。
【００７２】
なお、変形例１では、カバー１４の裏面側に収容部１６が設けられているが、カバー１４において収容部１６を省略して、ウエイト１８をクッション１２の収容凹部１２Ｃに直接収容するように構成してもよい。この場合には、クッション１２の収容凹部１２Ｃが、本発明の「収容部」に対応する。
【００７３】
また、第１〜第４の実施の形態では、重り装着器具１０，３０，４０，５０が、クッション１２を含んで構成されているが、重り装着器具１０，３０，４０，５０において、クッション１２を省略してもよい。この場合には、カバー１４の大きさをゴルフクラブＧＣのヘッドＨの大きさに対応して適宜設定すると共に、紐状部材２６や締付ユニット４２によって、シャフトＳのヘッドＨとの付け根部分にカバー１４を締付けるように構成してもよい。
【００７４】
また、第１〜第４の実施の形態及び変形例では、収容部１６（変形例では、カバー１４）に開口部１６Ａ（１４Ｃ）が形成されており、開口部１６Ａ（１４Ｃ）にファスナー２０が設けられているが、重り装着器具１０，３０，４０，５０において、開口部１６Ａ（１４Ｃ）及びファスナー２０を省略してもよい。この場合には、異なる重さのウエイト１８を重り装着器具１０，３０，４０，５０に取付けることができなくなるが、プレーヤの好みのウエイト１８の重さが１種類である場合には、ウエイト１８の交換が不要である。このため、重り装着器具１０，３０，４０，５０において、開口部１６Ａ（１４Ｃ）及びファスナー２０を省略してもよい。
【００７５】
また、第１、第２、及び第４の実施の形態では、カバー１４に保持カバー部２２が縫合されているが、カバー１４において、保持カバー部２２を省略してもよい。
この場合における第１及び第２の実施の形態では、紐状部材２６の位置を任意に設定することができるため、紐状部材２６によって、カバー１４の任意の部位を締付けることができる。
また、この場合における第４の実施の形態では、位置決め部材５２によって紐状部材２６を保持するように構成してもよい。例えば、溝部５２Ａの形状を、位置決め部材５２の厚み方向一方側（シャフトカバー部１４Ａの径方向外側）へ開口されたＣ字形状に形成して、溝部５２Ａの開口部の幅寸法を、紐状部材２６の直径よりも若干小さく設定してもよい。これにより、紐状部材２６を溝部５２Ａ内にスナップフィット嵌合させて、紐状部材２６を位置決め部材５２によって保持することができる。
【００７６】
また、第１〜第４の実施の形態及び変形例では、ウエイト１８の形状が略直方体ブロック状に形成されているが、ウエイト１８の形状はこれに限らない。例えば、ウエイト１８の形状を球状にしてもよい。この場合には、収容部１６の形状をウエイト１８の形状に応じて適宜変更してもよい。また、収容部１６の裏面に、弾性を有するクッション材を設けて、当該クッション材によって、収容部１６内のウエイト１８を保持するように構成してもよい。これにより、重り装着器具１０，３０，４０，５０を装着したゴルフクラブＧＣのスウィング練習中に、仮にプレーヤの周囲のものに収容部１６が当った場合には、クッション材を保護部材として機能させることができる。
【００７７】
また、第１〜第４の実施の形態及び変形例では、収容部１６の開口部１６Ａに設けられた開閉部材がファスナー２０として構成されているが、開口部１６Ａを開閉可能に構成する部材は、これに限らない。例えば、収容部１６の開口部１６Ａに開閉部材としてのマジックテープ（登録商標）を設けて、当該マジックテープによって、開口部１６Ａを開閉可能に構成してもよい。
【００７８】
また、第１〜第４の実施の形態及び変形例では、紐状部材２６（４６）の長手方向両端部同士を結ぶことで、紐状部材２６（４６）の締付状態を維持しているが、紐状部材２６（４６）の締付状態を維持する構成はこれに限らない。例えば、紐状部材２６（４６）の長手方向両端部にマジックテープを設けて、当該長手方向両端部同士をマジックテープによって結合してもよいし、当該長手方向両端部をマジックテープによってカバー１４に結合してもよい。また、例えば、紐状部材２６（４６）の長手方向両端部に磁石やボタンなどを設けて、これらによって、当該長手方向両端部同士を結合してもよい。
【００７９】
また、第１〜第４の実施の形態では、重り装着器具１０，３０，４０，５０がドライバとしてのゴルフクラブＧＣに装着される例として説明したが、重り装着器具１０をフェアウェイウッド、ユーティリティ、アイアン、及びパターなどの他の形態のゴルフクラブに装着してもよい。すなわち、重り装着器具１０の形状を、各ゴルフクラブのヘッドの形状に適宜合わせて変更して、フェアウェイウッド、ユーティリティ、アイアン、及びパターなどのゴルフクラブの先端部に装着してもよい。
【符号の説明】
【００８０】
１０          ゴルフクラブ用重り装着器具
１２          クッション（インナ部材）
１２Ａ        基端側クッション部
１２Ｂ        先端側クッション部
１２Ｃ        収容凹部
１４          カバー
１４Ａ        シャフトカバー部
１４Ｂ        ヘッドカバー部
１４Ｃ        開口部
１６          収容部
１６Ａ        開口部
１８          ウエイト（重り）
２０          ファスナー（開閉部材）
２２          保持カバー部
２４          トンネル部
２６          紐状部材（締付部材）
３０          ゴルフクラブ用重り装着器具
３２          高摩擦部材
４０          ゴルフクラブ用重り装着器具
４２          締付ユニット（締付部材）
４４          固定ベルト（ベルト）
４４Ａ１      孔部
４４Ａ２      孔部
４６          紐状部材
５０          ゴルフクラブ用重り装着器具
５２          位置決め部材
５２Ａ        溝部
ＧＣ          ゴルフクラブ
Ｈ            ヘッド
Ｓ            シャフト
【図１】
2018166665.tif 000003
【図２】
2018166665.tif 000004
【図３】
2018166665.tif 000005
【図４】
2018166665.tif 000006
【図５】
2018166665.tif 000007
【図６】
2018166665.tif 000008